【手続補正書】
【提出日】平成24年7月12日(2012.7.12)
【手続補正１】
【補正対象書類名】明細書
【補正対象項目名】００２０
【補正方法】変更
【補正の内容】
【００２０】
上記目的を達成するために、本発明の原稿読取装置は、原稿を積載する積載手段と、前記積載手段に積載された原稿を１枚ずつ読取位置を通過させるように搬送する搬送手段と、前記搬送手段によって搬送される原稿の画像を前記読取位置で読み取る読取手段と、前記搬送手段によって前記読取位置を通過して搬送された原稿を前記読取位置より上流の位置に戻すための戻し搬送経路とを備える原稿読取装置において、前記積載手段に配置され、前記積載手段に積載された原稿の搬送方向の長さである原稿長さを検知する第１の原稿長さ検知手段と、前記原稿の前記搬送方向に直交する幅方向の長さである原稿幅を検知する幅検知手段と、前記積載手段にサイズの異なる複数の原稿が混在する原稿束が積載される原稿混載モードが設定された場合、前記幅検知手段によって検知された原稿幅と前記第１の原稿長さ検知手段によって検知された原稿長さとに基づき予測される複数の定型サイズの中の最大の定型サイズを仮の原稿サイズに決定する仮サイズ決定手段と、前記搬送手段によって搬送中の原稿の搬送方向の長さを測定することにより原稿長さを検知する第２の原稿長さ検知手段と、前記幅検知手段によって検知された原稿幅および前記第２の原稿長さ検知手段によって検知された原稿長さに基づき、実際の原稿サイズを決定する実サイズ決定手段と、前記仮サイズ決定手段によって決定された仮の原稿サイズと、前記実サイズ決定手段によって決定された実際の原稿サイズとが等しい場合、前記仮の原稿サイズに従って行われる前記読取手段による前記原稿の画像の読み取りを継続させ、一方、前記仮の原稿サイズと前記実際の原稿サイズとが異なる場合、前記搬送手段により前記戻し搬送経路を経由して前記原稿を前記上流の位置に戻させ、前記実際の原稿サイズに従って、前記読取手段により前記原稿の画像の読み取りのやり直しを行わせる制御手段とを備えたことを特徴とする。
【手続補正２】
【補正対象書類名】特許請求の範囲
【補正対象項目名】全文
【補正方法】変更
【補正の内容】
【特許請求の範囲】
【請求項１】
原稿を積載する積載手段と、前記積載手段に積載された原稿を１枚ずつ読取位置を通過させるように搬送する搬送手段と、前記搬送手段によって搬送される原稿の画像を前記読取位置で読み取る読取手段と、前記搬送手段によって前記読取位置を通過して搬送された原稿を前記読取位置より上流の位置に戻すための戻し搬送経路とを備える原稿読取装置において、
前記積載手段に配置され、前記積載手段に積載された原稿の搬送方向の長さである原稿長さを検知する第１の原稿長さ検知手段と、
前記原稿の前記搬送方向に直交する幅方向の長さである原稿幅を検知する幅検知手段と、
前記積載手段にサイズの異なる複数の原稿が混在する原稿束が積載される原稿混載モードが設定された場合、前記幅検知手段によって検知された原稿幅と前記第１の原稿長さ検知手段によって検知された原稿長さとに基づき予測される複数の定型サイズの中の最大の定型サイズを仮の原稿サイズに決定する仮サイズ決定手段と、
前記搬送手段によって搬送中の原稿の搬送方向の長さを測定することにより原稿長さを検知する第２の原稿長さ検知手段と、
前記幅検知手段によって検知された原稿幅および前記第２の原稿長さ検知手段によって検知された原稿長さに基づき、実際の原稿サイズを決定する実サイズ決定手段と、
前記仮サイズ決定手段によって決定された仮の原稿サイズと、前記実サイズ決定手段によって決定された実際の原稿サイズとが等しい場合、前記仮の原稿サイズに従って行われる前記読取手段による前記原稿の画像の読み取りを継続させ、一方、前記仮の原稿サイズと前記実際の原稿サイズとが異なる場合、前記搬送手段により前記戻し搬送経路を経由して前記原稿を前記上流の位置に戻させ、前記実際の原稿サイズに従って、前記読取手段により前記原稿の画像の読み取りのやり直しを行わせる制御手段とを備えたことを特徴とする原稿読取装置。
【請求項２】
前記幅検知手段は、前記積載手段に積載される原稿束の幅方向の両端を規制する規制部材の位置を検知する第１の検知部と、前記搬送手段により前記積載手段から搬送された原稿の幅方向における一方の端部の位置を検知する第２の検知部を有し、前記第１の検知部により検知された位置と前記第２の検知部により検知された位置とに基づいて原稿幅を検知することを特徴とする請求項１記載の原稿読取装置。
【請求項３】
前記仮サイズ決定手段によって決定された仮の原稿サイズと、前記実サイズ決定手段によって決定された実際の原稿サイズとが異なる場合、前記制御手段は、前記実際の原稿サイズに従って、前記画像の読み取りのやり直しが終了するまで、次原稿の有無を確定させないことを特徴とする請求項１記載の原稿読取装置。
【請求項４】
前記仮サイズ決定手段により決定された仮の原稿サイズに基づいて、前記読取手段により読み取られる原稿の画像処理の準備を行う準備手段を有することを特徴とする請求項１記載の原稿読取装置。
【請求項５】
原稿を積載する積載手段と、前記積載手段に積載された原稿を１枚ずつ読取装置の読取位置を通過させるように搬送する搬送手段と、前記搬送手段によって前記読取位置を通過して搬送された原稿を前記読取位置より上流の位置に戻すための戻し搬送経路とを備える自動原稿給紙装置において、
前記積載手段に配置され、前記積載手段に積載された原稿の搬送方向の長さである原稿長さを検知する第１の原稿長さ検知手段と、
前記原稿の前記搬送方向に直交する幅方向の長さである原稿幅を検知する幅検知手段と、
前記積載手段にサイズの異なる複数の原稿が混在して積載される原稿混載モードが設定された場合、前記幅検知手段によって検知された原稿幅と前記第１の原稿長さ検知手段によって検知された原稿長さとに基づき予測される複数の定型サイズの中の最大の定型サイズを仮の原稿サイズに決定する仮サイズ決定手段と、
前記搬送手段によって搬送中の原稿の搬送方向の長さを測定することにより原稿長さを検知する第２の原稿長さ検知手段と、
前記幅検知手段によって検知された原稿幅および前記第２の原稿長さ検知手段によって検知された原稿長さに基づき、実際の原稿サイズを決定する実サイズ決定手段と、
前記仮サイズ決定手段によって決定された仮の原稿サイズと、前記実サイズ決定手段によって決定された実際の原稿サイズとが等しい場合、前記仮の原稿サイズに従って行われる前記読取装置による前記原稿の画像の読み取りを継続させ、一方、前記仮の原稿サイズと前記実際の原稿サイズとが異なる場合、前記搬送手段により前記戻し搬送経路を経由して前記原稿を前記上流の位置に戻させ、前記実際の原稿サイズに従って、前記読取装置により前記原稿の画像の読み取りのやり直しを行わせる制御手段とを備えたことを特徴とする自動原稿給紙装置。
【請求項６】
原稿を積載する積載手段と、前記積載手段に積載された原稿を１枚ずつ読取位置を通過するように搬送する搬送手段と、前記搬送手段によって搬送される原稿の画像を前記読取位置で読み取る読取手段と、前記搬送手段によって前記読取位置を通過して搬送された原稿を前記読取位置より上流の位置に戻すための戻し搬送経路とを備える原稿読取装置の制御方法において、
前記積載手段に配置された第１の原稿長さ検知手段により、前記積載手段に積載された原稿の搬送方向の長さである原稿長さを検知する第１の原稿長さ検知ステップと、
前記原稿の前記搬送方向に直交する幅方向の長さである原稿幅を検知する幅検知ステップと、
前記積載手段にサイズの異なる複数の原稿が混在して積載される原稿混載モードが設定された場合、前記幅検知ステップで検知された原稿幅と前記第１の原稿長さ検知ステップで検知された原稿長さとに基づき予測される複数の定型サイズの中の最大の定型サイズを仮の原稿サイズに決定する仮サイズ決定ステップと、
前記搬送手段によって搬送中の原稿の搬送方向の長さを測定することより原稿長さを検知する第２の原稿長さ検知ステップと、
前記幅検知ステップで検知された原稿幅および前記第２の原稿長さ検知ステップで検知された原稿長さに基づき、実際の原稿サイズを決定する実サイズ決定ステップと、
前記仮サイズ決定ステップで決定された仮の原稿サイズと、前記実サイズ決定ステップで決定された実際の原稿サイズとが等しい場合、前記仮の原稿サイズに従って行われる前記読取手段による前記原稿の画像の読み取りを継続させ、一方、前記仮の原稿サイズと前記実際の原稿サイズとが異なる場合、前記搬送手段により前記戻し搬送経路を経由して前記原稿を前記上流の位置に戻させ、前記実際の原稿サイズに従って、前記読取手段により前記原稿の画像の読み取りのやり直しを行わせる制御ステップとを有することを特徴とする原稿読取装置の制御方法。